(57)【要約】【課題】打球の難しい長いシャフトのゴルフクラブであっても、より小さな力で安定で楽に使用して正確な方向に大きい飛距離を得るようにしたゴルフクラブを提供する。【解決手段】ゴルフクラブのシャフトの端部に釣り合い部材を堅く固定することにより、ゴルフクラブの質量中心点にかかるモーメントと、これに対向する釣り合い部材にかかるモーメントが相互反対方向に作用するようにして、釣り合い部材側のモーメントがゴルフクラブの質量中心点側のモーメントを相殺させる。したがって、ゴルファーがゴルフクラブを持ち上げて支持するのに必要な力が減少する。よって、長いゴルフクラブであっても易く楽に取り扱うことができ、正確なスイングを可能にする。【選択図】図５
2004202192.tif 000002
【特許請求の範囲】
【請求項１】
クラブヘッド、シャフト及びハンドグリップからなるゴルフクラブにおいて、前記シャフトの一端部であるハンドグリップの端部に、スイングの際に逆モーメントがかかるように、一定重量の釣り合い部材が固定されることを特徴とするゴルフクラブ。
【請求項２】
前記釣り合い部材が固定されるシャフトの端部にはネジが設けられ、これに結合される釣り合い部材にも対応ネジ部が設けられることにより、釣り合い部材の位置が変位できることを特徴とする請求項１に記載のゴルフクラブ。
【請求項３】
前記釣り合い部材は、シャフトに固定されるハンドグリップの一端部にハンドグリップと一体的に形成されることを特徴とする請求項１に記載のゴルフクラブ。
【請求項４】
前記釣り合い部材の重量は前記ゴルフクラブの重量の１／３〜１／６であることを特徴とする請求項１に記載のゴルフクラブ。
【発明の詳細な説明】
【０００１】
【発明の属する技術分野】
本発明はゴルフクラブに係り、より詳しくは、スイング準備姿勢の際に、シャフトの比較的長いウッドクラブ又はロングアイアンクラブのような長いゴルフクラブの質量中心をゴルファーの身体に近くに移動させてゴルフクラブのスイングを容易にすることにより、よりゴルフボールを正確に目標方向に送るとともに楽で易く打撃できるようにする釣り合い部材を備えるゴルフクラブに関するものである。
【０００２】
【従来の技術】
ゴルフという運動の特性上、ゴルフゲームを立派に行うためには、ゴルファーがクラブヘッドの中心点でゴルフボールを正確に打撃することと、ゴルフボールを打撃する時点の打撃力を極大化することとが必要である。
【０００３】
このような要求に応ずるため、現存のゴルフクラブは過去のゴルフクラブに比べて目覚しく発展して来ている。このような研究及び発展は、より易く楽に、かつより正確にゲームを行うための欲求によるものであり、ゴルフクラブに対する絶えない研究開発の結果、ゴルフクラブの構造及び素材が革新的に変化している実情である。ゴルフクラブの機能を向上させるため、ゴルフクラブの各部、つまりクラブヘッド、クラブシャフト及びハンドグリップの素材が変化しているだけでなく、各部の形態又は構造も多様に変化している。
【０００４】
このような変化及び改善の主目的は、ゴルファーができるだけゴルフボールを目標方向に正確に飛ばすようにし、ゴルフボールを易く打撃するようにするためである。しかし、同じゴルフクラブを使っても、個人の実力によって飛距離又は正確性にかなりの差があり、性別、年齢によっても個人差があると思われる。このように、個人の適応力又は体力などの差によって正確性又は飛距離にかなりの差があり得る。
【０００５】
現在用いられているゴルフクラブのうち、比較的短いミドルアイアンクラブ又はショートアイアンクラブを使うのには特に難しさを感じないゴルファーにとっても、ゴルフボールの飛距離を延長するために比較的クラブシャフトが長くなるロングアイアンクラブ、ドライバー及びウッドクラブのようなシャフトの長いゴルフクラブを用いてゴルフボールを正確に打撃することが相当難しくなり、相当な練習及び努力によっても難しく感じせざるを得ない。しかも、このように長いゴルフクラブはゴルフ初歩者又は弱い女性にはもっと大きな負担となる。
【０００６】
このように、ゴルフクラブのシャフトが長くなるにつれて、ゴルファーが難しく感じ或いは実にも難しいのは、ゴルフクラブのシャフトが長くなるにつれて、ゴルフボールを打撃する姿勢を取るとき、グラブヘッドがゴルファーの身体から相対的に遠く離れて位置するためである。したがって、スイング準備姿勢又はスイングにおいて、シャフトが長いゴルフクラブを使用する場合に比べ、大きいモーメントがかかり、より大きい力が必要であり、クラブヘッドを揺れなく一定位置に安定して正確に維持するのが大変難しい。特に、ゴルフボールの飛距離を増大させるためにドライバーのシャフトを段々長くするこの頃の趨勢では、シャフトの長いゴルフクラブを使用するためには、多くの練習量で適応力を育てなければならない。すなわち、図１及び図２に示すように、シャフトの長いゴルフクラブはシャフトの短いゴルフクラブに比べ、ゴルフクラブの質量中心点Ｇがゴルファーから遠く離れるので、スイングの際に大きな力が要求され、柔軟なスイングが難しくない、結局、正確度が低下することになる重要な要因となる。角度（θ）が大きくなる長ゴルフクラブでスイングを行うのには、実際のゴルフクラブの重量Ｗを持ち上げる力のほかに、モーメント（Ｗ×Ｌ１）を支える力が必要である。
【０００７】
前述したように、ゴルフ競技を立派に行うためには、ゴルファーがクラブヘッドの中心点でゴルフボールを正確に打撃することと、ゴルフボールを打撃する時点の打撃力を極大化することとが必要である。しかし、これは、ほかの運動と同様、ゴルフボールを打撃するときの全ての基本動作が正確であるか否かによって異なるが、ほかの条件が同一であるときは、比較的使用しやすいゴルフクラブを用いると正確な打撃がなされる。
【０００８】
すなわち、使用しやすいゴルフクラブとは、ゴルフクラブを持って一定の軌道に沿って回転させるのに小さな力がかかる軽量化したゴルフクラブを意味する。すなわち、諸般条件の同一である二つのゴルフクラブにおいて、相対的に軽いゴルフクラブは相対的に重いゴルフクラブよりは、正確で楽にスイングが行える。また、スイングも速く行えてクラブヘッドのスピードを増大させることができるので、より大きな力をゴルフボールに伝達させて飛距離を向上させる利点がある。現在、長いウッドクラブ又はロングアイアンクラブのようなゴルフクラブを使用するときは、ゴルフクラブ自体の重量によってよりも、その長さにより発生するゴルフクラブのモーメントによって重く感じられ、不正確な打撃となる問題点を解決することができない実情である。
【０００９】
【発明が解決しようとする課題】
したがって、本発明は前記のような問題点を解決するためになされたもので、打球の難しい長いシャフトのゴルフクラブであっても、より小さな力で安定で楽に使用して正確な方向に大きい飛距離を得るようにしたゴルフクラブを提供することをその目的とする。
【００１０】
【課題を解決するための手段】
前記目的を達成するため、本発明は、ゴルファーが両手でゴルフクラブのハンドグリップを握るとき、ハンドグリップを握る部位の中間地点、つまりハンドグリップの中間地点を基準に発生するクラブヘッドによるモーメントをどのくらい相殺させるため、一定の重さの釣り合い部材をクラブヘッドの反対側であるハンドグリップの端部に固定させることにより、全体ゴルフクラブの重量には多少影響を与えるが、クラブヘッドによるモーメントに対して逆モーメントを持たせ、ゴルフクラブの質量中心をハンドグリップ側に移動させることになる。したがって、長いシャフトを力学的に短くする役割をして、小さな力でゴルフクラブの均衡を易しく維持することができるようにする。
【００１１】
以上のように、本発明は、ゴルフクラブのハンドグリップの端部に一定重量の釣り合い部材を堅く取り付ける構造を備えて前記の目的を達成するものである。
【００１２】
【発明の実施の形態】
以下、本発明によるゴルフクラブを添付図面に基づいて詳細に説明する。
【００１３】
本発明の一実施例によるゴルフクラブは、図３に示すように、クラブヘッド１、シャフト２及びハンドグリップ３からなるゴルフクラブのハンドグリップ３の一端部に釣り合い部材３１が固着される。前記釣り合い部材３１は、逆モーメントが効果的に加わるように比重の大きい鉛から成形されている。本実施例において、前記釣り合い部材３１の外部には、仕上げのため、ハンドグリップ３から延長された仕上げキャップ３２が付着されている。
【００１４】
本実施例において、前記釣り合い部材３１は元のハンドグリップ３から一定長さだけ突出してゴルフクラブの全長をさらに増大させたが、図４に示すほかの実施例においては、釣り合い部材３１がハンドグリップ３の端部に螺合される構造を持たせて、ゴルフクラブの全長を増大させていないか、又は少しだけ増大させるだけで取り付けが可能であるものである。この場合、ネジが形成された釣り合い部材を回転させることにより、釣り合い部材３１の位置を変化させて逆モーメントを変化させることのできる構造を有する。本発明のさらにほかの実施例は、図６に示すように、シャフト２の端部に固定されるハンドグリップ３の一端部に比重の大きい鉛粉末を混合して成形するか、或いはハンドグリップ３の一端部に鉛塊を挿入して成形することにより、ハンドグリップ３と釣り合い部材３１を一体的に構成することもできる。
【００１５】
本発明において、均衡部材の重量はゴルファーの体重及び体力によって違うが、ゴルフクラブの重量のおよそ１／３〜１／６であることが好ましい。
【００１６】
本発明で説明したゴルフクラブは比較的長いウッド又はロングアイアンのようなゴルフクラブを意味するものであるが、短いゴルフクラブにも適用できる。
【００１７】
このような本発明のゴルフクラブの作用効果を以下に詳細に説明する。
【００１８】
本発明のゴルフクラブを用いて、ゴルファーがゴルフティー上に置かれたゴルフボールＢを打撃するため、スイングしようとする場合、図１に示す姿勢でゴルフボールを照準することになる。この場合、図５に示すように、ハンドグリップ３を両手で握ると、両手の中間地点であるハンドグリップの略中間地点Ｐを基準に釣り合い部材３１側部とクラブヘッド１側部の両部に分割される。この際、ゴルファーが感じる力は、理論的に単純に考えてみると、釣り合い部材３１の重量だけ重くなるべきであるが、釣り合い部材３１の重量による逆モーメントにより、ゴルフクラブを持ち上げる力の一部が相殺されるので、釣り合い部材３１がないときより安定して軽く感じることになる。すなわち、この場合、ゴルフクラブＡを両手で持ち上げるのに必要な力は元のゴルフクラブの重量Ｗと釣り合い部材３１の重量Ｗ１の和であるが、実際に必要な力は重力による全重量（Ｗ＋Ｗ１）よりは、クラブヘッド１でゴルフボールを打つに適した一定の姿勢を維持するのに必要な力、つまりゴルフクラブのモーメントに対抗して支持する力がもっと大きくかかる。この力は、均衡維持のために設けられた釣り合い部材３１による逆モーメントによりそのだけ減少するので、ゴルフクラブを持ち上げて均衡に維持するのが軽く感じられ、安定にクラブヘッドを維持することができる。
【００１９】
このように軽く感じられる原理をもっと具体的に説明すると、一般に、ゴルフクラブを持ち上げる場合、モーメントを考慮していない状況で必要な力は、垂直上方に持ち上げるとき、つまりゴルフクラブの質量中心と持ち上げる力の作用点とが正確に垂直線上に置かれるときにかかる力であり、この力はゴルフクラブの重量と釣り合い部材の全重量（Ｗ＋Ｗ１）である。反面、ゴルフクラブの重量中心点Ｇとゴルフクラブを握って均衡を維持する地点が垂直線上に置かれていない場合、つまり図１に示すように、ゴルフクラブの一端部であるハンドグリップ３を握り、クラブヘッド１の部分をゴルフボールに合わせてスイングしようとする場合、両手でハンドグリップ３を握る中間地点Ｐからゴルフクラブの質量中心点Ｇまでの水平距離Ｌ１に相当するモーメントＭ１が作用するが、このモーメントＭ１はゴルフクラブの重量Ｗに水平距離Ｌ１をかけた値であるので、ゴルフクラブが重く感じられる。すなわち、ゴルフクラブ自体重量のほかにモーメントに対応する力がさらに必要である。
【００２０】
すなわち、同じ重量のゴルフクラブであっても、ゴルフクラブの質量中心点Ｇと両手でハンドグリップ３を握る部位の中間地点Ｐとが相互離れている状態であれば、離れている距離が遠いほど大きな力がかかり、水平距離が小さくなるほど力が小さくかかる。すなわち、均衡を維持するために対抗すべきモーメントが小さいからである。
【００２１】
すなわち、同じ重量のゴルフクラブを図１及び図２の姿勢で使用する場合を仮定してみると、図１の姿勢においては、図２の姿勢でゴルフクラブを使用する場合より水平距離が３倍以上の差があるとすると、ゴルフクラブの自体重量のほかに少なくとも３倍以上のモーメントがかかる。
【００２２】
したがって、ゴルフクラブのハンドグリップ３を握る部位の中間地点Ｐとゴルフクラブの質量中心点Ｇが近くなるほどに小さな力がかかるので、正確な打球が可能であり、ゴルフクラブを速くスイングさせることができ、よってゴルフボールＢの飛距離を増大させることができるものである。
【００２３】
このように、ゴルフクラブによる打球動作においては、ゴルフクラブの質量中心点Ｇと両手でハンドグリップ３を握る部位の中間地点Ｐ間に長さに相当するモーメントが作用するため、実際のゴルフクラブ自体重量を持ち上げることより大きな力がかかる。
【００２４】
図５に示すように、本発明によるゴルフクラブでスイング準備姿勢を取る場合、ハンドグリップ３の端部に設けられた釣り合い部材３１により、ハンドグリップ３を握る部位の中間地点Ｐを中心に相互反対方向に作用する二つのモーメントＭ１及びＭ２が発生する。モーメントＭ１はクラブヘッド１側に作用する時計方向モーメントで、元のゴルフクラブの自体重量Ｗと握り部位の中間地点Ｐまでの水平距離Ｌ１との積（Ｗ×Ｌ１）であり、ほかのモーメントＭ２はハンドグリップ３側に作用する反時計方向モーメントで、釣り合い部材の重量Ｗ１と握り部位の中間地点Ｐまでの水平距離Ｌ２との積（Ｗ１×Ｌ２）である。ゴルフクラブの質量中心点ＧのモーメントＭ１と釣り合い部材３１のモーメントＭ２が相互反対方向に作用し、釣り合い部材３１のモーメントＭ２がゴルフクラブのモーメントＭ１を相殺させるので、ゴルファーに加わるゴルフクラブのモーメントはＭ１−Ｍ２＝Ｍ３である。したがって、ゴルファーにとっては、釣り合い部材３１の重量Ｗ１と握り部位の中間地点までの水平距離Ｌ２の積だけのモーメントが減少するので、ゴルフクラブをずっと楽に持ち上げて均衡を維持することができる。また、ハンドグリップ３を握る部位の中間地点Ｐを中心に釣り合い部材３１の重量によるモーメントＭ２によりゴルフクラブを反対に押し下げる力が作用するので、クラブヘッド１が安定して上下揺れなく一定の状態を維持することができ、より正確なスイングを可能にする。すなわち、ゴルフクラブの重量を減少させないながらもゴルフクラブに作用するモーメントを減少させるものであるので、ゴルフクラブの均衡状態を易く維持することができる。しかも、ゴルフクラブの全重量が減少したものでないので、ゴルフボールＢに加わる打撃力は減少しない。
【００２５】
【発明の効果】
以上説明したように、本発明によるゴルフクラブは、一定重量の釣り合い部材がハンドグリップの端部に、つまりシャフトの端部に堅く設けられているので、ゴルフクラブの質量中心点側のモーメントと、これに対向する釣り合い部材側のモーメントが相互反対方向に作用し、釣り合い部材側のモーメントがゴルフクラブ側のモーメントを相殺させる。したがって、釣り合い部材の重量と握り部位の中間地点までの水平距離の積に相当するモーメントが減少するので、ゴルファーにとっては、ゴルフクラブを持ち上げて支持する力が減少する効果がある。また、シャフトが長くて正確な打球が難しかった長いゴルフクラブをより小さな力でも楽に使用することができ、従来のゴルフクラブよりも正確な方向に打球することができ、飛距離を増大させることができる効果があるものである。
【図面の簡単な説明】
【図１】長いゴルフクラブでスイングを準備する姿勢を示す側面図である。
【図２】短いゴルフクラブでスイングを準備する姿勢を示す側面図である。
【図３】本発明によるゴルフクラブの釣り合い部材の一実施例を示す部分縦断面図である。
【図４】本発明によるゴルフクラブの釣り合い部材のほかの実施例を示す部分縦断面図である。
【図５】本発明によるゴルフクラブに作用するモーメントを示す概略図である。
【図６】本発明によるゴルフクラブの釣り合い部材のさらにほかの実施例を示す部分縦断面図である。
【符号の説明】
１  クラブヘッド
２  シャフト
３  ハンドグリップ
３１  釣り合い部材
Ｐ  ハンドグリップの握り部位の中間地点
Ｇ  ゴルフクラブの質量中心点
【図１】
2004202192.tif 000003
【図２】
2004202192.tif 000004
【図３】
2004202192.tif 000005
【図４】
2004202192.tif 000006
【図５】
2004202192.tif 000007
【図６】
2004202192.tif 000008